(57)【要約】【課題】あらゆる条件下において、極力少ない回数の空気パージを実施するだけで確実に所望どおりの空気パージを行い得るガス供給設備の空気パージ方法の提供。【解決手段】集合住宅へのガス供給設備において、共用立管３より上流側で管の取り換え工事を実施した後の空気パージ方法で、新管２Ａより下流側の分岐部分からパージ用のガスを押し込み供給しながら、新管２Ａに設けたパージ用の排気部５から排気して空気パージを実施したり、新管２Ａより下流側で近くの分岐部分において空気パージを実施するに際し、分岐部分より直ぐ下流側の共用立管３を閉鎖して空気パージを実施し、あるいは、分岐部分より下流側の共用立管３にパージ用のガスを押し込み供給しながら空気パージを実施する方法。【選択図】        図２
2005133888.tif 000002
【特許請求の範囲】
【請求項１】
複数階の集合住宅を構成する複数の住戸のそれぞれに対して、地中に埋設された主管と主管に接続の引込管、その引込管に接続の共用立管、および、前記共用立管から分岐の分岐管を介してガスを供給するガス供給設備において、前記共用立管より上流側で管の取り換え工事を実施した後に、その取り換えた後の新管とその新管より下流側の管内に混入した空気を抜いてガスに置換する空気パージを実施するガス供給設備の空気パージ方法であって、
前記新管より下流側に位置する分岐部分から前記共用立管にパージ用のガスを押し込み供給するとともに、前記主管側からガスを供給して、前記新管に設けたパージ用の排気部から空気パージを実施するガス供給設備の空気パージ方法。
【請求項２】
前記パージ用のガスを収納するガスボンベから前記共用立管にパージ用のガスを押し込み供給する請求項１に記載のガス供給設備の空気パージ方法。
【請求項３】
複数階の集合住宅を構成する複数の住戸のそれぞれに対して、地中に埋設された主管と主管に接続の引込管、その引込管に接続の共用立管、および、前記共用立管から分岐の分岐管を介してガスを供給するガス供給設備において、前記共用立管より上流側で管の取り換え工事を実施した後に、その取り換えた後の新管とその新管より下流側の管内に混入した空気を抜いてガスに置換する空気パージを実施するガス供給設備の空気パージ方法であって、
前記新管より下流側で近くに位置する分岐部分より直ぐ下流側の前記共用立管を閉鎖するとともに、前記主管側からガスを供給して、前記分岐部分から空気パージを実施するガス供給設備の空気パージ方法。
【請求項４】
前記共用立管の一部をマジックジョイントにより切除して分岐部を形成し、その分岐箇所から共用立管内に閉鎖用バッグを挿入して閉鎖する請求項３に記載のガス供給設備の空気パージ方法。
【請求項５】
複数階の集合住宅を構成する複数の住戸のそれぞれに対して、地中に埋設された主管と主管に接続の引込管、その引込管に接続の共用立管、および、前記共用立管から分岐の分岐管を介してガスを供給するガス供給設備において、前記共用立管より上流側で管の取り換え工事を実施した後に、その取り換えた後の新管とその新管より下流側の管内に混入した空気を抜いてガスに置換する空気パージを実施するガス供給設備の空気パージ方法であって、
前記新管より下流側で最も近くに位置する分岐部分より下流側の前記共用立管にパージ用のガスを押し込み供給するとともに、前記主管側からガスを供給して、前記分岐部分と前記新管に設けたパージ用の排気部から空気パージを実施するガス供給設備の空気パージ方法。
【請求項６】
複数階の集合住宅を構成する複数の住戸のそれぞれに対して、地中に埋設された主管と主管に接続の引込管、その引込管に接続の共用立管、および、前記共用立管から分岐の分岐管を介してガスを供給するガス供給設備において、前記共用立管より上流側で管の取り換え工事を実施した後に、その取り換えた後の新管とその新管より下流側の管内に混入した空気を抜いてガスに置換する空気パージを実施するガス供給設備の空気パージ方法であって、
前記新管より下流側で最も近くに位置する分岐部分より下流側の前記共用立管にパージ用のガスを押し込み供給するとともに、前記主管側からガスを供給して、前記分岐部分から空気パージを実施するガス供給設備の空気パージ方法。
【請求項７】
前記新管内から前記共用立管内へ可撓性のチューブを挿入し、そのチューブを介して前記主管からのガスをパージ用のガスとして前記共用立管に押し込み供給する請求項５または６に記載のガス供給設備の空気パージ方法。
【請求項８】
前記取り換え工事の対象が前記引込管であり、前記新管より下流側で最も近くに位置する分岐部分が、前記集合住宅における１階の分岐部分である請求項５〜７のいずれか１項に記載のガス供給設備の空気パージ方法。
【発明の詳細な説明】
【技術分野】
【０００１】
本発明は、複数階の集合住宅を構成する複数の住戸のそれぞれに対して、地中に埋設された主管と主管に接続の引込管、その引込管に接続の共用立管、および、前記共用立管から分岐の分岐管を介してガスを供給するガス供給設備において、前記共用立管より上流側で管の取り換え工事を実施した後に、その取り換えた後の新管とその新管より下流側の管内に混入した空気を抜いてガスに置換する空気パージを実施するガス供給設備の空気パージ方法に関する。
【背景技術】
【０００２】
この種の空気パージ方法としては、従来、引込管の取り換え工事完了後に、共用立管の最上流側に位置するガスメータ部分、つまり、１階の住戸に対して設置されたガスメータ部分だけで空気パージを実施することにより、２階以上の住戸に対して設置されたガスメータ部分での空気パージの実施を不用とする方法が提案されている（例えば、特許文献１参照）。
【０００３】
【特許文献１】特開２００２−３６４７７６号公報
【発明の開示】
【発明が解決しようとする課題】
【０００４】
しかし、上記公報に記載の方法では、１階のガスメータ部分で空気パージを実施するに際し、１階のガスメータ部分より下流側の共用立管への空気の混入に関して特別な考慮が払われていないので、その実効性に関して疑問が残る。
すなわち、１階のガスメータ部分での空気パージは、主管側からガスを供給しながら、その供給ガス圧によって新管内の空気とその新管より下流側の管内に混入した空気を抜いてガスと置換することになる。
その際、新管内の空気あるいは下流側の管内に混入した空気の一部が、主管側からの供給ガス圧によって、１階のガスメータ部分より下流側の共用立管内に押し上げられて、その共用立管内のガスに混入する可能性がある。
このような可能性を無視して、一律に１階のガスメータ部分だけで空気パージし、２階以上での空気パージを不用とするのは、ある特定の条件下において可能ではあっても、あらゆる条件下で適用可能であるとは言い切れないおそれがある。
【０００５】
本発明は、このような従来の問題点に着目したもので、その目的は、あらゆる条件下において、極力少ない回数の空気パージを実施するだけで確実に所望どおりの空気パージを行い得るガス供給設備の空気パージ方法を提供することにある。
【課題を解決するための手段】
【０００６】
本発明の第１の特徴構成は、複数階の集合住宅を構成する複数の住戸のそれぞれに対して、地中に埋設された主管と主管に接続の引込管、その引込管に接続の共用立管、および、前記共用立管から分岐の分岐管を介してガスを供給するガス供給設備において、前記共用立管より上流側で管の取り換え工事を実施した後に、その取り換えた後の新管とその新管より下流側の管内に混入した空気を抜いてガスに置換する空気パージを実施するガス供給設備の空気パージ方法であって、前記新管より下流側に位置する分岐部分から前記共用立管にパージ用のガスを押し込み供給するとともに、前記主管側からガスを供給して、前記新管に設けたパージ用の排気部から空気パージを実施するところにある。
【０００７】
本発明の第１の特徴構成によれば、共用立管より上流側で管の取り換え工事を実施した後に、その取り換えた後の新管より下流側に位置する分岐部分から共用立管にパージ用のガスを押し込み供給しながら空気パージを実施するので、新管内の空気あるいはそれより下流側の管内に混入した空気は、共用立管下流側からのパージ用ガスの押し込み供給によって、新管側へ確実に押しやられる。
そして、その状態で、主管側からガスを供給して新管に設けたパージ用の排気部から空気パージを実施するので、分岐部分からパージ用のガスを押し込み供給する必要はあるものの、上述した従来方法のように共用立管内に空気が混入するおそれがなく、新管の排気部から確実に空気パージを行うことができ、その結果、あらゆる条件下において、極力少ない回数の空気パージで確実に所望どおりの空気パージを行うことができる。
【０００８】
本発明の第２の特徴構成は、第１の特徴構成に加えて、前記パージ用のガスを収納するガスボンベから前記共用立管にパージ用のガスを押し込み供給するところにある。
【０００９】
本発明の第２の特徴構成によれば、分岐部分から共用立管にパージ用のガスを押し込み供給するに際し、パージ用のガスを収納するガスボンベから共用立管にパージ用のガスを押し込み供給するので、例えば、主管などにチューブを接続し、そのチューブを介して主管からのガスを押し込み供給する場合に比べて、パージ用ガスの押し込み供給を比較的容易に行うことができる。
【００１０】
本発明の第３の特徴構成は、複数階の集合住宅を構成する複数の住戸のそれぞれに対して、地中に埋設された主管と主管に接続の引込管、その引込管に接続の共用立管、および、前記共用立管から分岐の分岐管を介してガスを供給するガス供給設備において、前記共用立管より上流側で管の取り換え工事を実施した後に、その取り換えた後の新管とその新管より下流側の管内に混入した空気を抜いてガスに置換する空気パージを実施するガス供給設備の空気パージ方法であって、前記新管より下流側で近くに位置する分岐部分より直ぐ下流側の前記共用立管を閉鎖するとともに、前記主管側からガスを供給して、前記分岐部分から空気パージを実施するところにある。
【００１１】
本発明の第３の特徴構成によれば、共用立管より上流側で管の取り換え工事を実施した後に、その取り換えた後の新管より下流側で近くに位置する分岐部分より直ぐ下流側の共用立管を閉鎖し、主管側からガスを供給して、その分岐部分から空気パージを実施する。
例えば、新管に最も近い１階において、分岐部分が一箇所だけある場合には、その分岐部分の直ぐ下流側で、また、分岐部分が２箇所以上ある場合には、いずれかひとつの分岐部分の直ぐ下流側で共用立管を閉鎖し、その閉鎖箇所より上流側の分岐部分から空気パージを実施するので、この方法においても、新管内の空気あるいはそれより下流側の管内に混入した空気は、分岐部分より下流側の共用立管内への混入が確実に阻止される。
その結果、共用立管を閉鎖する必要はあるものの、上述した第１の発明と同様、あらゆる条件下において、極力少ない回数の空気パージで確実に所望どおりの空気パージを行うことができる。
【００１２】
本発明の第４の特徴構成は、第３の特徴構成に加えて、前記共用立管の一部をマジックジョイントにより切除して分岐部を形成し、その分岐箇所から共用立管内に閉鎖用バッグを挿入して閉鎖するところにある。
【００１３】
本発明の第４の特徴構成によれば、共用立管の一部をマジックジョイントにより切除して分岐部を形成し、その分岐箇所から共用立管内に閉鎖用バッグを挿入して閉鎖するので、配管の分岐作業などですでに使用され、かつ、実績のあるマジックジョイントを使用することにより、共用立管の閉鎖作業を迅速かつ確実に行うことができる。
【００１４】
本発明の第５の特徴構成は、複数階の集合住宅を構成する複数の住戸のそれぞれに対して、地中に埋設された主管と主管に接続の引込管、その引込管に接続の共用立管、および、前記共用立管から分岐の分岐管を介してガスを供給するガス供給設備において、前記共用立管より上流側で管の取り換え工事を実施した後に、その取り換えた後の新管とその新管より下流側の管内に混入した空気を抜いてガスに置換する空気パージを実施するガス供給設備の空気パージ方法であって、前記新管より下流側で最も近くに位置する分岐部分より下流側の前記共用立管にパージ用のガスを押し込み供給するとともに、前記主管側からガスを供給して、前記分岐部分と前記新管に設けたパージ用の排気部から空気パージを実施するところにある。
【００１５】
本発明の第５の特徴構成によれば、共用立管より上流側で管の取り換え工事を実施した後に、その取り換えた後の新管より下流側で最も近くに位置する分岐部分より下流側の共用立管にパージ用のガスを押し込み供給し、主管側からガスを供給して、その分岐部分と新管に設けたパージ用の排気部から空気パージを実施するので、この方法においても、新管内の空気あるいはそれより下流側の管内に混入した空気は、パージ用ガスの押し込み供給によって、分岐部分より下流側の共用立管内への混入が確実に阻止される。
したがって、パージ用のガスを押し込み供給する必要はあるものの、上述した第１や第３の発明と同様、あらゆる条件下において、極力少ない回数の空気パージで確実に所望どおりの空気パージを行うことができる。
【００１６】
本発明の第６の特徴構成は、複数階の集合住宅を構成する複数の住戸のそれぞれに対して、地中に埋設された主管と主管に接続の引込管、その引込管に接続の共用立管、および、前記共用立管から分岐の分岐管を介してガスを供給するガス供給設備において、前記共用立管より上流側で管の取り換え工事を実施した後に、その取り換えた後の新管とその新管より下流側の管内に混入した空気を抜いてガスに置換する空気パージを実施するガス供給設備の空気パージ方法であって、前記新管より下流側で最も近くに位置する分岐部分より下流側の前記共用立管にパージ用のガスを押し込み供給するとともに、前記主管側からガスを供給して、前記分岐部分から空気パージを実施するところにある。
【００１７】
本発明の第６の特徴構成によれば、共用立管より上流側で管の取り換え工事を実施した後に、その取り換えた後の新管より下流側で最も近くに位置する分岐部分より下流側の共用立管にパージ用のガスを押し込み供給し、主管側からガスを供給して、その分岐部分から空気パージを実施するので、この方法においても、新管内の空気あるいはそれより下流側の管内に混入した空気は、パージ用ガスの押し込み供給によって、分岐部分より下流側の共用立管内への混入が確実に阻止される。
したがって、パージ用のガスを押し込み供給する必要はあるものの、上述した第１、第３、および、第５の発明と同様、あらゆる条件下において、極力少ない回数の空気パージで確実に所望どおりの空気パージを行うことができる。
【００１８】
本発明の第７の特徴構成は、第５または第６の特徴構成に加えて、前記新管内から前記共用立管内へ可撓性のチューブを挿入し、そのチューブを介して前記主管からのガスをパージ用のガスとして前記共用立管に押し込み供給するところにある。
【００１９】
本発明の第７の特徴構成によれば、新管内から共用立管内へ可撓性のチューブを挿入し、そのチューブを介して主管からのガスをパージ用のガスとして共用立管に押し込み供給するので、分岐部分より下流側の共用立管内への空気の混入を確実に阻止でき、しかも、共用立管内への可撓性チューブの挿入を比較的容易に行うことができる。
つまり、新管に近接する主管あるいは主管に接続の管にチューブを接続すれば、そのチューブを新管と新管に接続の共用立管の内部空間を利用して、チューブの先端を所望する箇所にまで比較的容易に挿入することができる。
したがって、パージ用のガスを収納するガスボンベを準備したり運搬する必要もなく、共用立管へのパージ用ガスの押し込み供給を比較的容易に行うことができる。
【００２０】
本発明の第８の特徴構成は、第５〜第７のいずれかの特徴構成に加えて、前記取り換え工事の対象が前記引込管であり、前記新管より下流側で最も近くに位置する分岐部分が、前記集合住宅における１階の分岐部分であるところにある。
【００２１】
本発明の第８の特徴構成によれば、取り換え工事の対象が引込管であって、新管より下流側で最も近くに位置する分岐部分が、集合住宅における１階の分岐部分であるから、引込管の取り換え工事完了後に、１階の分岐部分より下流側の共用立管にパージ用のガスを押し込み供給することにより確実な空気パージが可能となる。
【発明を実施するための最良の形態】
【００２２】
本発明によるガス供給設備の空気パージ方法につき、その実施の形態を図面に基づいて説明する。
この空気パージ方法は、図１に示すように、マンションや公営住宅のような複数階からなる集合住宅へのガス供給設備において実施するもので、例えば、３階建てのマンションＭで各階に４戸の住戸、つまり、１階に住戸Ｍ１〜Ｍ４、２階に住戸Ｍ５〜Ｍ８、３階に住戸Ｍ９〜Ｍ１２がある場合、各住戸Ｍ１〜Ｍ１２には、地中に埋設された主管１、主管１に接続されて地中に埋設された引込管２、引込管２に接続された２本の共用立管３、各共用立管３から分岐された合計１２本の分岐管４を介して１３Ａの都市ガスが供給され、各分岐管４にはガスメータＧＭがそれぞれ取り付けられている。
【００２３】
このマンションＭへのガス供給設備において、例えば、引込管２の取り換え工事を実施する場合、共用立管３より上流側（共用立管３を含む）である共用立管３の上流側端部近傍Ａと引込管２の上流側端部近傍Ｂとで管２，３を切断して新たな引込管、つまり、新管２Ａ（図２〜図４参照）に取り換えることになる。
このような管の取り換え工事では、通常、既設管の切断時と新管への接続作業時において、切断箇所Ａが６０分以上にわたって大気中に開口され、その間に切断箇所Ａより下流側の両共用立管３内に空気が混入する。したがって、工事完了後において、取り換えた後の新管２Ａと新管２Ａより下流側の共用立管３内に混入した空気を抜いてガスに置換する空気パージが必要となる。
つぎに、その空気パージ方法の具体的な例につき、第１〜第３の実施形態に基づいて順次説明する。
【００２４】
（第１の実施形態）
第１の実施形態では、図２に示すように、パージ用の排気部として機能するバイパスサドル５を備えた新管２Ａが使用され、必要な箇所はスクイズ６により閉塞される。
このバイパスサドル５は、工事現場において新管２Ａに取り付けることも、工事現場に搬入する前に予め新管２Ａに取り付けておくことも可能である。
また、スクイズ６は、外周から管を締め付けて管を閉塞するための器具であり、通常、地中に埋設される引込管（新管）２Ａはポリエチレン製の管であるから、このようなスクイズ６を使用して簡単に閉塞することができる。
【００２５】
そして、新管２Ａより下流側で最も近くに位置するガスメータＧＭ部分、具体的には、１階の住戸Ｍ１またはＭ２とＭ３またはＭ４への分岐管４に設けられたガスメータＧＭ部分に、パージ用のガスである１３Ａを収納したガスボンベ７を接続し、ガスボンベ７からパージ用のガスを共用立管３に押し込み供給し、かつ、主管１側からもガスを供給しながら、バイパスサドル５の排気管から排気して空気パージを実施する。
このように、１階のガスメータＧＭ部分から共用立管３にパージ用のガスを押し込み供給しながら、新管２Ａに設けたバイパスサドル５から空気パージを実施するので、新管２Ａ内の空気あるいはそれより下流側の共用立管３内に混入した空気は、１階の分岐管４より下流側の共用立管３内への混入が確実に阻止される。
【００２６】
なお、この第１の実施形態では、パージ用のガスを収納したガスボンベ７を使用して、そのガスボンベ７からパージ用のガスを共用立管３に押し込み供給する例を示したが、ガスボンベ７を使用せずに、例えば、可撓性のチューブを使用し、その可撓性のチューブにより主管１と１階のガスメータＧＭ部分とを接続して、主管１からのガスをパージ用のガスとして共用立管３に押し込み供給することもできる。
【００２７】
（第２の実施形態）
第２の実施形態では、図３に示すように、マジックジョイント８が使用され、新管２Ａより下流側で最も近くに位置する分岐管４、具体的には、１階の住戸Ｍ１またはＭ２とＭ３またはＭ４への分岐管４の直ぐ下流側の共用立管３が閉鎖される。
このマジックジョイント８自体は公知であり、すでに配管の分岐作業などで実際に使用されているので、その詳しい説明は省略するが、要するに、共用立管３に外嵌させてハンマーなどで衝撃を加えることにより、火薬の爆発力でピストンに取り付けられた刃が共用立管３の一部を切除して、共用立管３に連通する分岐部９を形成する。
【００２８】
したがって、このマジックジョイント８を使用し、その分岐部９から共用立管３内へ閉鎖用バッグ１０を挿入することにより、１階の分岐管４の直ぐ下流側の共用立管３を簡単に閉鎖することができる。
そして、必要な箇所をスクイズ６により閉塞し、主管１側からガスを供給しながら、１階の分岐管４に設けられたガスメータＧＭ部分から空気パージを実施することにより、新管２Ａ内の空気あるいはそれより下流側の共用立管３内に混入した空気は、１階の分岐管４より下流側の共用立管３内への混入が確実に阻止され、この第２の実施形態においても、第１の実施形態と同様に、所望どおりの空気パージを実施することができる。
【００２９】
なお、この第２の実施形態では、マジックジョイント８を使用して、閉鎖用バッグ１０により共用立管３を閉鎖する例を示したが、共用立管３の閉鎖は、必ずしもマジックジョイント８や閉鎖用バッグ１０を使用して行う必要はなく、例えば、閉鎖用の栓などを使用して閉鎖することもできる。
【００３０】
（第３の実施形態）
第３の実施形態では、図４に示すように、新管２Ａおよび共用立管３内へ挿入可能な可撓性のチューブ１１、例えば、ゴム管や合成樹脂製の管に屈曲自在な金属製の被覆部材を被覆したような構造で、適度な可撓性と硬直性を兼ね備えたチューブ１１が使用される。
そして、第１の実施形態で使用したのと同じバイパスサドル５と、そのバイパスサドル５と若干異なる構造のバイパスサドル５ａ、具体的には、チューブ１１の挿入が可能で、かつ、パージ用の排気部としても機能するチューブ挿入用バイパスサドル５ａも使用される。
【００３１】
この第３の実施形態では、図４の（イ）に示すように、切断箇所Ａで共用立管３と新管２Ａを接続するのに先立って、新管２Ａに設けられたチューブ挿入用バイパスサドル５ａからチューブ１１を新管２Ａ内へ挿入し、かつ、接続管１２内を通し、共用立管３の端部を閉鎖している仮キャップ１３を外して共用立管３内へ挿入する。
共用立管３内へのチューブ１１の挿入は、最終的に、図４の（ロ）に示すように、その上端開口部が、少なくとも新管２Ａより下流側で最も近くに位置する分岐管４、具体的には、１階の住戸Ｍ１またはＭ２とＭ３またはＭ４への分岐管４よりも下流側に位置するように挿入し、その後、接続管１２を介して共用立管３と新管２Ａを接続する。
【００３２】
この作業と合い前後して、あるいは、同時に、図４の（イ）に示すように、新管２Ａにおける立管と引込管との接続箇所の直ぐ上流側をスクイズ６で閉塞し、主管１側からガスを供給しながら、新管２Ａに設けたバイパスサドル５の排気管から排気して、新管２Ａの一部を空気パージする。
その後、図４の（ロ）に示すように、チューブ挿入用バイパスサドル５ａの直ぐ下流側において、新管２Ａをスクイズ６で閉塞するとともに、チューブ１１の他端をバイパスサドル５に接続し、チューブ１１を介して主管１からのガスをパージ用のガスとして共用立管３に押し込み供給しながら、１階の分岐管４に設けられたガスメータＧＭ部分とチューブ挿入用バイパスサドル５ａの排気管から排気して空気パージを実施する。
【００３３】
このように、１階の分岐管４より下流側の共用立管３にパージ用のガスを押し込み供給しながら、１階の分岐管４に設けられたガスメータＧＭ部分と新管２Ａに設けられたチューブ挿入用バイパスサドル５ａから空気パージを実施することにより、新管２Ａ内に残っている空気あるいはそれより下流側の共用立管３内に混入した空気は、１階の分岐管４より下流側の共用立管３内への混入が確実に阻止され、この第３の実施形態においても、第１や第２の実施形態と同様に、所望どおりの空気パージを実施することができる。
【００３４】
なお、この第３の実施形態で示した方法において、下記のような変形実施態様を採用することもできる。
例えば、図４の（ロ）に示したように、チューブ１１の上端開口部を少なくとも１階の分岐管４よりも下流側に位置させ、新管２Ａにおける立管と引込管との接続箇所の直ぐ下流側のみをスクイズ６で閉塞し、チューブ１１を介してパージ用のガスを共用立管３に押し込み供給し、かつ、主管１側からもガスを供給しながら、１階の分岐管４に設けられたガスメータＧＭ部分のみから空気パージを実施するのである。
この場合にも、新管２Ａ内の空気あるいはそれより下流側の共用立管３内に混入した空気は、１階の分岐管４より下流側の共用立管３内への混入が確実に阻止され、所望どおりの空気パージを実施することができる。
【００３５】
なお、この第３の実施形態とその変形実施態様では、可撓性のチューブ１１を使用して、主管１からのガスをパージ用のガスとして共用立管３に押し込み供給する例を示したが、パージ用のガスを収納したガスボンベを使用して、例えば、２階の分岐管４に設けられたガスメータＧＭ部分からガスボンベ内のパージ用ガスを共用立管３に押し込み供給することもできる。
【００３６】
以上、第１〜第３の実施形態につき図面を参照しながら説明したが、図２〜図４に示した共用立管３は、図１における左側の共用立管３であり、そのため、必要に応じて、新管２Ａにおける立管と引込管との接続箇所の直ぐ下流側をスクイズ６で閉塞した例を示した。
しかし、図１における右側の共用立管３を対象とする場合、あるいは、共用立管３が１本しかない場合には、上述したスクイズ６による閉塞は必要ない。
【００３７】
さらに、第１の実施形態では、１階のガスメータＧＭ部分からパージ用のガスを押し込み供給し、また、第２の実施形態と第３の実施形態（その変形実施形態も含む）では、１階のガスメータＧＭ部分から空気パージを実施する例を示したが、第１の実施形態におけるパージ用ガスの押し込み供給、および、第２と第３の実施形態における空気パージ箇所は、特にガスメータＧＭ部分に限るものではなく、例えば、共用立管３からの分岐管４、あるいは、分岐管４の特定箇所において実施することもできる。
したがって、本明細書においては、共用立管３からの分岐管４、ガスメータＧＭ部分、および、屋内側配管部分などを含めて「分岐部分」と総称する。
【図面の簡単な説明】
【００３８】
【図１】集合住宅のガス供給設備の概略図
【図２】第１の実施形態による空気パージの説明図
【図３】第２の実施形態による空気パージの説明図
【図４】第３の実施形態による空気パージの説明図
【符号の説明】
【００３９】
１            主管
２            引込管
２Ａ          新管
３            共用立管
４            分岐管
５，５ａ      パージ用の排気部
７            ガスボンベ
８            マジックジョイント
９            分岐部
１０          閉鎖用バッグ
１１          可撓性のチューブ
Ｍ            集合住宅
Ｍ１〜Ｍ１２  住戸
【図１】
2005133888.tif 000003
【図２】
2005133888.tif 000004
【図３】
2005133888.tif 000005
【図４】
2005133888.tif 000006